(57)【要約】【課題】  簡易な構造および工程により、アンカーボルトを使用せずにレールが固定される移動棚の床構造及びその施工方法を提供する。【解決手段】  床上に並列して敷設されたレール２間に、両側のレール２，２に係止して床パネル４を嵌め込み、並列する両レール２同士をその長手方向両端で両レール２間にわたる端部カバー６を介して相互に固定し、レール２は、アンカーボルトなどの建屋側の床に対する固定手段を用いることなく床上に敷設される。【選択図】      図２
2006167155.tif 000002
【特許請求の範囲】
【請求項１】
床上に並列して敷設されたレール間に、両側のレールに係止して床パネルを嵌め込み、並列する両レール同士をその長手方向両端で前記両レール間にわたる端部カバーを介して相互に固定したことを特徴とする移動棚の床構造。
【請求項２】
前記レールの下にライナーを適宜位置に配置して前記レールを水平に敷設し、前記ライナーは、薄板からなり、上下に重ねたライナー同士および前記ライナーと前記レールとの間で、一方に横ずれを防止するための突起を設け、他方に該突起が嵌合する窪み部を設けたことを特徴とする請求項１に記載の移動棚の床構造。
【請求項３】
前記レールは、車輪の転動面を支持する頂面および前記車輪のフランジ部が通過する溝を有し、前記レールの長手方向両端部に、前記車輪の転動面およびフランジ部の両方が同時に当接するストッパを設けたことを特徴とする請求項１に記載の移動棚の床構造。
【請求項４】
前記ストッパは、前記レールの頂面の上方に配置される突出部と、該突出部に隣接して下方に屈曲し、前記レールの溝に挿入される折曲部とを有することを特徴とする請求項３に記載の移動棚の床構造。
【請求項５】
前記ストッパの折曲部の先端にバネが取り付けられ、このバネに、移動棚側に設けた前記溝内を移動する係止部材が当接することを特徴とする請求項４に記載の移動棚の床構造。
【請求項６】
（ａ）必要な長さのレールを形成するステップと、
（ｂ）前記レールを床上に並列して該床に固定することなく配置し、レール両端部のレール間に床パネルを嵌め込むステップと、
（ｃ）レールの下にライナーを敷いてレベル調整するステップと、
（ｄ）スロープパネルを嵌め込むステップと、
（ｅ）レール中央部の床パネルを嵌め込むステップと、
（ｆ）端部カバーを取り付けるステップと
からなることを特徴とする請求項１に記載の移動棚の床構造の施工方法。
【発明の詳細な説明】
【技術分野】
【０００１】
本発明は、下部に車輪を備えた棚が、床面に敷設したレールに沿って移動可能となる移動棚を設置する床構造およびその施工方法に関するものである。
【背景技術】
【０００２】
従来より、床面にレールが敷設され、そのレール上を転動する車輪を下部に備えた棚がレールに沿って可動となる移動棚が周知である。
【０００３】
移動棚は、複数の棚が２本またはそれ以上のレール上を移動可能に設置されたものであり、必要に応じて棚をレールに沿って移動させることにより、棚間に作業用のスペースが確保される。従って、それぞれの棚同士の間に間隔をあけて設置する必要がないので、省スペースで多くの棚を設置することができ、広く用いられている。
【０００４】
移動棚を移動させる方法は、棚の正面に設けられた取っ手を握って、手動で棚をレールに沿って移動させる手動方式の他、ハンドルを回すことにより棚を所望の方向へ移動させるハンドル方式や、車輪にモータを接続して電動で棚を移動させる電動方式がある。
【０００５】
このようなレール上に設置される移動棚の床構造は、例えば特許文献１および特許文献２に示される。従来の移動棚の床構造におけるレールは、床の上に直接または支持部材を介して仕上げ床を設け、その上にレールを敷設して構成する。この場合、地震等の際にレール位置がずれないようにするために、レールはアンカーボルトや釘あるいは両面接着テープ等により直接床に固定され、または支持部材や仕上げ床を介してアンカーボルトなどにより床に対して固定される。
【０００６】
すなわち、従来は、移動棚の地震対策として、レールの位置を固定するためにアンカーボルトなどの建屋側の床に対する固定手段が必要不可欠であった。従って、レールの敷設施工プロセスが煩雑になり作業が手間取るとともに、レールの位置変更やレールの増減時には、その都度アンカーボルトなどの着脱を行わなければならない。また、一度アンカーボルトなどを設けた位置にはアンカーボルトなどの跡が残るため、室内のレイアウト変更等に制約が生じる。
【特許文献１】特開平７−２５４２１号公報
【特許文献２】特開２００３−１８９９４８号公報
【発明の開示】
【発明が解決しようとする課題】
【０００７】
本発明は、上記従来技術を考慮してなされたものであり、簡易な構造および工程により、アンカーボルトなどの建屋側の床に対する固定手段を使用せずにレールを敷設し、充分な強度が得られる移動棚の床構造及びその施工方法の提供を目的とする。
【課題を解決するための手段】
【０００８】
請求項１の発明は、床上に並列して敷設されたレール間に、両側のレールに係止して床パネルを嵌め込み、並列する両レール同士をその長手方向両端で両レール間にわたる端部カバーを介して相互に固定したことを特徴とする移動棚の床構造を提供する。
【０００９】
請求項２の発明は、請求項１の発明において、レールの下にライナーを適宜位置に配置してレールを水平に敷設し、ライナーは、薄板からなり、上下に重ねたライナー同士およびライナーとレールとの間で、一方に横ずれを防止するための突起を設け、他方に突起が嵌合する窪み部を設けたことを特徴とする。
【００１０】
請求項３の発明は、請求項１の発明において、レールは、車輪の転動面を支持する頂面および車輪のフランジ部が通過する溝を有し、レールの長手方向両端部に、車輪の転動面およびフランジ部の両方が同時に当接するストッパを設けたことを特徴とする。
【００１１】
請求項４の発明は、請求項３の発明において、ストッパは、レールの頂面の上方に配置される突出部と、突出部に隣接して下方に屈曲し、レールの溝に挿入される折曲部とを有することを特徴とする。
【００１２】
請求項５の発明は、請求項４の発明において、ストッパの折曲部の先端にバネが取り付けられ、このバネに、移動棚側に設けた溝内を移動する係止部材が当接することを特徴とする。
【００１３】
請求項６の発明は、請求項１の発明を実施する方法であって、必要な長さのレールを形成するステップと、レールを床上に並列して該床に固定することなく配置し、レール両端部のレール間に床パネルを嵌め込むステップと、レールの下にライナーを敷いてレベル調整するステップと、スロープパネルを嵌め込むステップと、レール中央部の床パネルを嵌め込むステップと、端部カバーを取り付けるステップとからなることを特徴とする。
【発明の効果】
【００１４】
請求項１の発明によると、並列するレール同士が両端部において端部カバーで固定されるとともにレール同士が床パネルで連結されるため、レールと床パネルとが一体に組み合わされた強固な枠体が広い範囲で構成される。この枠体は、地震が起きた場合には、枠体全体が建屋側の床に対し振動して位置ずれする場合もあり得るが、枠体自体の形状は強固に維持される。このため、地震等の際に、枠体の形状が崩れたりレールの位置がずれることがない。したがって、このようなレールと端部カバーと床パネルで構成される枠体は、建屋側の床に対し、アンカーボルトなどの固定手段を用いることなくそのまま載置するだけで床上に敷接できる。このように本発明では、アンカーボルトなどの固定手段を用いないため、施工作業に熟練を要さず、どのような場所でも容易に設置可能である。更に、レール位置の変更やレールの取り外しが容易であり、アンカーボルトなどによる床の損傷がない。
【００１５】
請求項２の発明によると、凹凸や傾斜等のある床上でも、ライナーを用いて、床構造全体を水平に敷設することができる。この場合、薄板のライナーの枚数を調整することにより、僅かな傾斜や凹凸にも対応することができる。また、ライナー同士およびライナーとレールとの間に、相互に嵌合する突起と窪み部による横ずれ防止用の係合手段を有するので、ライナーがレールと一体となり、ボルト等を用いて固定する必要がない。
【００１６】
請求項３の発明によると、ストッパが車輪の転動面およびその側方のフランジ部（両側にフランジ部があれば３個所）に同時に当接することにより、確実に車輪の転動を停止して移動棚の動きを停止させることができる。従って、車輪の複数個所に当接して確実に停止させるため、大型のストッパを設けなくても、小型形状で十分な停止効果が得られる。これにより、レール長を有効に利用して棚の移動範囲を十分に確保できる。
【００１７】
請求項４の発明によると、車輪の転動面に当接する突出部に隣接して下方に屈曲する折曲部を形成し、この折曲部をレールの溝内に挿入してフランジ部を当接させることにより、レールの上方に大きく突出したストッパを設けなくても、床面からほとんど突出することなく、コンパクトな形状で確実に車輪の転動を停止させることができる。従って、ストッパが床構造の外観を損ねることがない。また、歩行中に足に引っ掛けて破損したり、躓いたりすることがない。
【００１８】
請求項５の発明によると、ストッパの手前にバネを設けることにより、車輪がストッパに当たる際の衝撃を緩和することができる。また、棚が常にストッパから離れた位置に停止するため、地震の際に棚がレールの端部方向に揺れて移動しても、ストッパまでの距離があり、転倒が防止される。これに対し、もしバネがなく棚がストッパに当接した状態で停止していると、地震で棚がレールの端部方向に揺れたときに、棚はそれ以上移動できないため、転倒する。このように、バネを設けることにより、棚をストッパから離間させておいたり、あるいは棚をレールの中央部側に付勢することができる。これにより、地震で床とともにレールが揺れても、車輪が両方向に転動してレールの揺れを逃し、地震による棚の転倒を防止できる。
【００１９】
請求項６の発明によると、アンカーボルトなどの建屋側の床に対する固定手段の取付作業を伴うことなく、レールを床上に設置し、レベル調整を行い、床パネルおよび端部カバーを取り付けて、床上にレールを組み込んだ強固な枠体を形成できる。
【発明を実施するための最良の形態】
【００２０】
図１は、本発明に係る移動棚の配置例を示し、手動式の棚３がレール２上に３台設けられている。
【００２１】
レール２は、棚３の正面側および奥側の両端に２本敷設され、棚３の奥行き寸法や棚３に収納される物品の重量等により、中央に更に１本のレール２が敷設される。
【００２２】
各棚３の正面パネル３１には、取っ手３２が設けられ、取っ手３２を握って左右いずれかの方向に押すまたは引くことにより、図中の矢印Ａのように、棚３が左右に移動し、物品の出し入れ作業用のスペース１０が形成される。棚３の配置は、図１の例に限らず、３台以上の棚３がレール２上に配置されてもよい。各棚３の幅は、任意に選定できる。また、棚３を移動させる方式は、図１の手動方式の他、ハンドルを回すことにより棚３を所望の方向へ移動させるハンドル方式、または、車輪にモータを接続して電動で棚３を移動させる電動方式等がある。
【００２３】
図２は、図１の移動棚の床構造を示す平面図である。３本の所定長さのレール２が等間隔に対向して並べて敷設され、レール２とレール２との間に、床パネル４が嵌め込まれる。左右両端のレール２の外側の側面には、スロープパネル５が嵌め込まれる。各レール２の長手方向の両端部には、端部に配置される床パネル４ａおよびスロープパネル５の端辺とともにレール２の端部を覆う端部カバー６が取り付けられる。このようにして、レール２を備えた床構造１が構成される。更に、各レール２の長手方向の両端部に、端部カバー６の上から、ストッパ７が取り付けられる。
【００２４】
図３は、図２の床構造のレール端部の分解斜視図である。
【００２５】
床パネル４の折曲げ側片４１に、Ｕ字状の切欠き４２が形成される。この切欠き４２がレール２の側片２２ａ上に係止して、床パネル４がその両側のレール２（図は一方のみ）間に嵌め込まれる。４３は床パネル４の補強リブである。
【００２６】
レール２の溝２１内に、取付ナット８が配設される。この取付ナット８に螺合するねじ（不図示）により、端部カバー６がストッパ７とともにレール２の端部に固定される。尚、端部カバー６の両端部６ａは、スロープパネル５の傾斜に合わせて角度が変わるように、折り曲げ可能としておくことが好ましい。
【００２７】
スロープパネル５は、その裏面の係止部５１を、レール２の側片２２ａ上に嵌め込んで取り付けられる。
【００２８】
後述の図６に示すように、ストッパ７の折曲部７３に雌ねじ７４が形成され、この雌ねじ７４に連結ねじ７８が螺合する。この連結ねじ７８にバネ７５が嵌め込まれる。バネ７５はバネホルダ７６で覆われて、レール２の溝２１の奥側に保持される。バネホルダ７６には、レール２に沿ってスリット７６ａが形成される。このスリット７６ａを通して、棚のサドル（図４，図５参照）に設けた係止部材（本実施例では転倒防止具２９）がバネ７５に当接し、緩衝作用を受けながら棚を停止させる。
【００２９】
図４は棚下端部の構成図、図５は図４のＦ−Ｆ矢視図である。
【００３０】
棚３はその下端部でサドル１０４上に支持される。サドル１０４は両端に車輪９を有し、レール２上を移動する。サドル１０４の両端部下縁に、転倒防止具２９が固定される。この転倒防止具２９は、レール２の溝２１（図６参照）内を移動し、棚３が傾斜すると、溝２１の上縁を構成する屈曲部２１ｂに引っ掛かって転倒を防止する。
【００３１】
この転倒防止具２９が、レール２の溝２１内に装着されたバネ７５に当接して緩衝作用を受ける（図７参照）。すなわち、サドル１０４の下端部にボルト１０８で転倒防止具２９が固定される。転倒防止具２９の下端部の折曲部２９ａが、レール２の溝２１内を移動する。棚３がレール２の端部に近づくと、バネホルダ７６のスリット７６ａ（図３参照）を通して、転倒防止具２９の折曲部２９ａがバネホルダ７６内のバネ７５に当接する。
【００３２】
図６は、レール２上のストッパ７および車輪９の位置を示す。
【００３３】
レール２の断面は、中央部に長方形の断面形状の空洞部２０を有し、その両側に、二列の溝２１，２２が隣接してそれぞれ左右対称に形成されている。各溝２１，２２は、それぞれ側片２１ａ，２２ａによって形成される。内側の側片２１ａは断面Ｌ字状に屈曲し、庇状に屈曲部２１ｂが形成される。外側の側片２２ａの上端部２２ｂは円形断面状に形成されている。
【００３４】
車輪９は、レール２の頂面２０ａを転動する転動面９１と、その両側のフランジ部９２とを有する。
【００３５】
ストッパ７は、レール２の頂面２０ａ上に載置される突出部７２と、頂面２０ａの両側の溝２１に嵌め込まれる折曲部７３を有する。車輪９がレール２の端部に達したときには、突出部７２が車輪９の転動面９１に当接するのと同時に、折曲部７３がフランジ部９２に当接して、車輪９を停止させる。
【００３６】
ストッパ７は、取付孔７１を利用してねじで固定される。レール２の溝２１に、雌ねじ８１が形成された側面Ｌ字状の取付ナット８を挿入し、ストッパ７の上から取付ナット８の雌ねじ８１にねじを締め付けると、取付ナット８の切欠部８２がレール２の屈曲部２１ｂに圧接され、ストッパ７がレール２に固定される。ストッパ７の折曲部７３の先端部には、後述するバネを取り付けるための雌ねじ７４が形成されている。
【００３７】
図７は、図２のＢ部の拡大図であり、図８は図７のＣ−Ｃ線から見た図である。図７および図８に示すように、ストッパ７の折曲部７３の先端に形成された雌ねじ７４に連結ねじ７８が螺合し、連結ねじ７８の先端部がバネ７５の内部に挿入されてバネ７５が保持される。バネ７５により、車輪９がレール２の先端付近に達したときに車輪９の転動を減速させて、緩やかにストッパ７に当接させる。尚、この場合、バネ７５の弾性変形の範囲内で車輪９がストッパ７に当接するように、バネ７５の長さおよび転倒防止具２９と車輪９間の距離を定めておく。バネ７５は、レール２の溝２１の底面にビス７９で固定されたバネホルダ７６内に保持される。
【００３８】
図９は図７のＤ−Ｄ線から見た図である。レール２とレール２との間には、床パネル４がはめ込まれる。床パネル４は、外周片に形成された折曲げ側片４１を、レール２の外側の溝２２に嵌め込んで取り付けられる。レール２の長手方向の床パネル４端辺の折曲げ側片４１は、切欠き４２（図３参照）を、レール２の外側の側片２２ａの円形断面状の上端部２２ｂに嵌め込んで支持される。上端部２２ｂが円形断面状になっているため、寸法誤差によるずれやがたつきを生じることなく、床パネル４の端辺がレール２側辺の上端部２２ｂ上に支持され、レール２と床パネル４とが一体化される。
【００３９】
図１０は、図２のＥ−Ｅ線から見た部分の拡大図である。移動棚の正面側および奥側となるレール２には、スロープパネル５が嵌め込まれる。スロープパネル５は、レール２の外側の側片２２ａの円形断面状の上端部２２ｂに、スロープパネル５裏面の係止部５１を嵌め込んで固定される。上端部２２ｂが円形断面状であるため、スロープパネル５は、スロープの角度を自在に調整することができる。
【００４０】
図１１は、本発明の移動棚の床構造の施工手順を示すフローチャートであり、以下、施工手順を説明する。
【００４１】
ステップＳ１：先ず、レール２を必要な長さに組み立てる。レール２は、アルミ合金等の金属による押出材からなり、モジュール化されて一定長さに成形される。敷設するレール２は、移動棚の寸法や数、作業用スペースの必要寸法に応じて任意の長さに設定可能であり、モジュール化されたレール２を必要な長さに連結して用いる。図１２は、レール２の連結方法を示すものであり、連結するレール２同士のそれぞれの端部の空洞部２０に連結材２３を挿入することにより、各モジュールのレール２同士が連結される。連結材２３の周囲の４側面には、それぞれ２本ずつ、線状の突起２３ａが形成される。これらの突起２３ａにより、連結材２３が、空洞部２０の内壁面に対して寸法誤差を吸収し、がたつくことなく線接触して、円滑な装着動作とともに確実な保持機能が得られる。連結材２３を挿入してレール２同士を仮結合した後、各レール端部の皿孔２０ｂを通してタッピングビス（不図示）によりレール２と連結材２３を共締めし、レール２同士を連結固定する。
【００４２】
ステップＳ２：連結されたレール２を、棚２の奥行き寸法に合わせた間隔で床面に配置する。このとき、レール２はアンカーボルトその他の建屋側の床に対する固定手段を用いることなく、単に床上に載置する。続いて、レール２とレール２に挟まれた空間のうち、レール２の長手方向の両端部の床パネル（図２の床パネル４ａ）を嵌め込む。
【００４３】
ステップＳ３：レール２の下地となる床面に凹凸や不陸等があり、レール２の底面が床面に接していない部分があれば、レール２の下にライナーを配置する。図１３は、ライナー２４の配置例を示す。ライナー２４は、床１１の僅かな凹凸に対して微調整できるように、薄い金属板からなり、必要に応じて複数枚積み上げて使用する。こうして、設置位置によってライナー２４の枚数を増減して用いることにより、レール２をがたつきなく水平に敷設できる。
【００４４】
尚、ライナー２４は、レール２とほぼ同じ幅であり、片側面に複数個所の突起２５がパンチング加工により形成される。ライナー２４を積み重ねると、下のライナーの上面の突起２５と上のライナーの下面の窪み部２６とが係合することによって、ライナー２４同士が横ずれしたり外れたりすることがない。また、レール２の底面に、突起２５に係合する窪みまたは孔を形成することにより、レール２とライナー２４とがずれることなく係合されるため、アンカーボルト等を用いることなく、レール２とライナー２４とを一体化させることができる。
【００４５】
ステップＳ４：レール２が水平に敷設されると、正面側および奥側に配置されたレール２のそれぞれの外側に、スロープパネル５を嵌め込む。
【００４６】
ステップＳ５：次に、Ｓ２で嵌め込んだ床パネル４ａ以外の中央部の床パネル（図２の床パネル４ｂ）を嵌め込む。
【００４７】
ステップＳ６：その後、レール２の長手方向両端側に端部カバー６を取り付け、各レール２の両端部にストッパ７を取り付ける。これにより、レール２が敷設された床構造１が形成される。尚、端部カバー６を取り付けるときに、前述のバネ７５をストッパ７とともに取り付ける。
【００４８】
このように、床構造の施工にはアンカーボルトの施工プロセスがなく、特殊な技能や道具等を要することがないので、熟練を要することなく容易に施工することができる。この場合、アンカーボルトがなくても、並列するレール２同士が、両端部で端部カバー６により固定され、且つレール２同士が床パネル４で連結されるため、レール２と床パネル４が一体に組み合わされ、床上にある程度の広さをもって、強固な枠体が形成される。従って、地震で建物が揺れても、レール２と床パネル４とからなる枠体は崩れることがなく、安定して移動棚を支持できる。
【産業上の利用可能性】
【００４９】
本発明は、レール上を転動する車輪を備えた移動棚の床構造に適用される。更に、棚に限らず、室内に設置する家具類、例えばロッカー、収納庫、間仕切り、カウンター、重量の大きいテーブルや机及び物を載せる台などをレール上で移動可能とした場合の床構造に対し適用可能である。
【図面の簡単な説明】
【００５０】
【図１】本発明に係る移動棚の配置例を示す斜視図。
【図２】本発明の床構造の平面図。
【図３】本発明の床構造を構成する部品の分解斜視図。
【図４】本発明に係る移動棚の下端部の構成図。
【図５】図４のＦ−Ｆ矢視図。
【図６】図２のストッパの取付状態を示す斜視図。
【図７】図２のＢ部の拡大図。
【図８】図４のＣ−Ｃ矢視図。
【図９】図４のＤ−Ｄ矢視図。
【図１０】図２のＥ−Ｅ線から見た拡大矢視図。
【図１１】本発明の床構造の施工手順を示す流れ図。
【図１２】レールの連結方法を示す斜視図。
【図１３】ライナーの設置例を示す正面図。
【符号の説明】
【００５１】
１：床構造、２：レール、３：棚、４，４ａ，４ｂ：床パネル、５：スロープパネル、６：端部カバー、６ａ：両端部、７：ストッパ、８：取付ナット、９：車輪、１０：スペース、１１：床、２０：空洞部、２０ｂ：皿孔、２１，２２：溝、２１ａ，２２ａ：側片、２１ｂ：屈曲部、２２ｂ：上端部、２３：連結材、２３ａ：突起、２４：ライナー、２５：突起、２６：窪み部、２９：転倒防止具、２９ａ：折曲部、３１：正面パネル、３２：取っ手、４１：折曲げ側片、４２：切欠き、４３：補強リブ、５１：係止部、７１：取付孔、７２：突出部、７３：折曲部、７４：雌ねじ、７５：バネ、７６：バネホルダ、７６ａ：スリット、７７：ねじ、７８：連結ねじ、７９：ビス、８１：雌ねじ、８２：切欠部、９１：転動面、９２：フランジ部、１０４：サドル、１０８：ボルト。
【図１】
2006167155.tif 000003
【図２】
2006167155.tif 000004
【図３】
2006167155.tif 000005
【図４】
2006167155.tif 000006
【図５】
2006167155.tif 000007
【図６】
2006167155.tif 000008
【図７】
2006167155.tif 000009
【図８】
2006167155.tif 000010
【図９】
2006167155.tif 000011
【図１０】
2006167155.tif 000012
【図１１】
2006167155.tif 000013
【図１２】
2006167155.tif 000014
【図１３】
2006167155.tif 000015